【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
異なる視差を有する第１の画素あるいは第２の画素を有する撮像素子から得られる複数の画像データを用いて位相差方式の焦点検出を行う焦点検出装置であって、
前記撮像素子から得られる画像データの複数の範囲において、複数の前記第１の画素から得られる画素データと複数の前記第２の画素から得られる画素データとの相関データを算出する相関データ算出手段と、
前記複数の範囲のそれぞれにおいて、所定値以上のレベルを持つ飽和画素を検出する検出手段と、
前記検出手段による飽和画素の検出結果に基づいて、前記複数の範囲のそれぞれにおいて算出された前記相関データの加算処理を行う加算手段と、 
前記加算処理の結果に基づいてデフォーカス量を算出するデフォーカス量算出手段と、を有し、 
前記加算手段は、前記飽和画素が所定数未満である前記複数の範囲から得られる相関データを用いて前記加算処理を行うことを特徴とする焦点検出装置。
【請求項２】
前記加算手段は、前記第１の画素または前記第２の画素に前記飽和画素が所定数以上含まれる飽和範囲に対して、該飽和範囲に隣接する範囲における前記相関データを前記飽和範囲における相関データとして用いることを特徴とする請求項１に記載の焦点検出装置。
【請求項３】
前記加算手段は、前記第１の画素または前記第２の画素に前記飽和画素が含まれる場合、前記飽和範囲のうち該飽和画素が存在する範囲に対して、該飽和範囲に隣接する範囲における前記相関データを前記飽和範囲における前記相関データとして用いることを特徴とする請求項２に記載の焦点検出装置。
【請求項４】
前記加算手段は、前記第１の画素配列または前記第２の画素配列に前記飽和画素が含まれる場合、該飽和画素の数に応じた重みを前記複数の範囲のそれぞれにおける前記相関データに掛けて前記加算処理を行うことを特徴とする請求項１乃至３のいずれか１項に記載の焦点検出装置。
【請求項５】
前記重みは、前記範囲の全ての画素が前記飽和画素である場合にゼロであることを特徴とする請求項４に記載の焦点検出装置。
【請求項６】
前記所定数とは、１であることを特徴とする請求項１乃至５のいずれか１項に記載の焦点検出装置。
【請求項７】
請求項１乃至６のいずれか１項に記載の焦点検出装置を有することを特徴とする撮像装置。
【請求項８】
異なる視差を有する前記複数の画像データは、１つのマイクロレンズを共有する第１の画素および第２の画素を備えた撮像素子から得られることを特徴とする請求項７に記載の撮像装置。
【請求項９】
前記第１の画素および前記第２の画素は、射出瞳のうち瞳分離方向において互いに異なる領域を通過した光束を受光して前記相関データの算出に用いられる信号を生成し、
前記加算手段は、前記複数の領域のそれぞれの前記相関データを前記瞳分離方向と直交する方向に加算することを特徴とする請求項８に記載の撮像装置。
【請求項１０】
請求項７乃至９のいずれか１項に記載の撮像装置と、
前記撮像装置に着脱可能なレンズ装置と、を有し、
前記撮像装置は、前記焦点検出装置から得られた信号に基づいて前記レンズ装置の駆動制御を行うことを特徴とする撮像システム。
【請求項１１】
異なる視差を有する第１の画素あるいは第２の画素を有する撮像素子から得られる複数の画像データを用いて位相差方式の焦点検出を行う焦点検出装置であって、
複数の前記第１の画素から得られる画素データと複数の前記第２の画素から得られる画素データとの相関データを算出する相関データ算出手段と、
前記撮像素子から得られる画像データの複数の範囲のそれぞれにおいて、所定値以上のレベルを持つ飽和画素を検出する検出手段と、
前記相関データの統計結果に基づいてデフォーカス量を算出するデフォーカス量算出手段と、を有し、 
前記相関データの統計結果は、前記検出手段によって検出された前記飽和画素以外の画素データから得られる相関データに基づいて算出されることを特徴とする焦点検出装置。
【請求項１２】
異なる視差を有する第１の画素あるいは第２の画素を有する撮像素子から得られる複数の画像データを用いて位相差方式の焦点検出を行う焦点検出装置であって、
複数の前記第１の画素から得られる画素データと複数の前記第２の画素から得られる画像データの複数の範囲における画素データとの相関データを算出する相関データ算出手段と、
前記複数の範囲のそれぞれにおいて、所定値以上のレベルを持つ飽和画素を検出する検出手段と、
前記相関データの統計結果に基づいてデフォーカス量を算出するデフォーカス量算出手段と、を有し、 
前記相関データの統計結果は、前記複数の範囲のそれぞれにおける前記飽和画素数に基づく重みを掛けた前記複数の範囲の前記相関データに基づいて算出されることを特徴とする焦点検出装置。
【請求項１３】
前記重みは、前記範囲の全ての画素が前記飽和画素である場合にゼロであることを特徴とする請求項１２に記載の焦点検出装置。
【請求項１４】
異なる視差を有する第１の画素あるいは第２の画素を有する撮像素子から得られる複数の画像データを用いて焦点検出を行う焦点検出装置であって、
前記撮像素子から得られる画像データの複数の範囲において、複数の前記第１の画素から得られる画素データと複数の前記第２の画素から得られる画素データとの比較データを算出する算出手段と、
前記複数の範囲のそれぞれにおいて、所定値以上のレベルを持つ飽和画素を検出する検出手段と、
前記検出手段による飽和画素の検出結果に基づいて、前記複数の範囲のそれぞれにおいて算出された前記比較データの加算処理を行う加算手段と、
前記加算手段から出力された加算された前記比較データに基づいてレンズ装置の駆動制御を行う駆動制御手段と、を有し、
前記加算手段は、前記飽和画素が所定数未満である前記複数の範囲から得られる比較データを用いて前記加算処理を行うことを特徴とする焦点検出装置。
【請求項１５】
前記駆動制御手段は位相差方式の焦点検出を行い、
前記駆動制御手段は、前記加算処理の結果に基づいてデフォーカス量を算出し、該デフォーカス量に基づいて前記駆動制御を行うデフォーカス量算出手段を含むことを特徴とする請求項１４に記載の焦点検出装置。
【請求項１６】
前記画像データの範囲は、前記撮像素子から得られる画像データのラインに対応することを特徴とする請求項１４または１５に記載の焦点検出装置。
【請求項１７】
前記所定数とは、１であることを特徴とする請求項１４乃至１６のいずれか１項に記載の焦点検出装置。
【請求項１８】
異なる視差を有する第１の画素あるいは第２の画素を有する撮像素子から得られる複数の画像データを用いて焦点検出を行う焦点検出装置であって、
複数の前記第１の画素から得られる画素データと複数の前記第２の画素から得られる画素データとの比較データを算出する算出手段と、
前記撮像素子における複数の範囲のそれぞれにおいて、所定値以上のレベルを持つ飽和画素を検出する検出手段と、
前記比較データの統計に基づいてレンズ装置の駆動制御を行う駆動制御手段と、を有し、
前記比較データの統計は、前記検出手段によって検出された前記飽和画素以外の画素データから得られる比較データに基づいて算出されることを特徴とする焦点検出装置。
【請求項１９】
前記範囲は前記撮像素子におけるラインに対応することを特徴とする請求項１８に記載の焦点検出装置。
【請求項２０】
異なる視差を有する第１の画素あるいは第２の画素を有する撮像素子から得られる複数の画像データを用いて焦点検出を行う焦点検出装置であって、
複数の前記第１の画素から得られる画素データと複数の前記第２の画素から得られる画像データの複数の範囲における画素データとの比較データを算出する算出手段と、
前記複数の範囲のそれぞれにおいて、所定値以上のレベルを持つ飽和画素を検出する検出手段と、
前記比較データの統計に基づいてレンズ装置の駆動制御を行う駆動制御手段と、を有し、
前記比較データの統計は、前記複数の範囲のそれぞれにおける前記飽和画素数に基づく重みを掛けた前記複数の範囲の前記相関データに基づいて算出されることを特徴とする焦点検出装置。
【請求項２１】
前記重みは、前記範囲の全ての画素が前記飽和画素である場合にゼロであることを特徴とする請求項２０に記載の焦点検出装置。
【請求項２２】
前記画像データの範囲は前記複数の第２の画素から得られる画像データのラインに対応することを特徴とする請求項２０または２１に記載の焦点検出装置。
【請求項２３】
前記駆動制御手段は位相差方式の焦点検出を行い、
前記駆動制御手段は、前記比較データの統計に基づいてデフォーカス量を算出し、該デフォーカス量に基づいて前記駆動制御を行うデフォーカス量算出手段を含むことを特徴とする請求項１８乃至２２のいずれか１項に記載の焦点検出装置。
【請求項２４】
請求項１１乃至２３のいずれか１項に記載の焦点検出装置を有することを特徴とする撮像装置。
【請求項２５】
異なる視差を有する前記複数の画像データは、１つのマイクロレンズを共有する第１の画素および第２の画素を備えた撮像素子から得られることを特徴とする請求項２４に記載の撮像装置。
【請求項２６】
請求項２４または２５に記載の撮像装置と、
前記撮像装置に着脱可能なレンズ装置と、を有し、
前記撮像装置は、前記焦点検出装置から得られた信号に基づいて前記レンズ装置の駆動制御を行うことを特徴とする撮像システム。
【請求項２７】
異なる視差を有する第１の画素あるいは第２の画素を有する撮像素子から得られる複数の画像データを用いて位相差方式の焦点検出を行う焦点検出方法であって、
前記撮像素子から得られる画像データの複数の範囲において、複数の前記第１の画素から得られる画素データと複数の前記第２の画素から得られる画素データとの相関データを算出するステップと、
前記複数の範囲のそれぞれにおいて、所定値以上のレベルを持つ飽和画素を検出するステップと、
前記飽和画素の検出結果に基づいて、前記複数の範囲のそれぞれにおいて算出された前記相関データの加算処理を行うステップと、 
前記加算処理の結果に基づいてデフォーカス量を算出するステップと、を有し、 
前記加算処理ステップは、前記飽和画素が所定数未満である前記複数の範囲から得られる相関データを用いて行われることを特徴とする焦点検出方法。
【請求項２８】
前記所定数とは、１であることを特徴とする請求項２７に記載の焦点検出方法。
【請求項２９】
異なる視差を有する第１の画素あるいは第２の画素を有する撮像素子から得られる複数の画像データを用いて位相差方式の焦点検出を行う焦点検出方法であって、
複数の前記第１の画素から得られる画素データと複数の前記第２の画素から得られる画素データとの相関データを算出するステップと、
前記撮像素子から得られる画像データの複数の範囲のそれぞれにおいて、所定値以上のレベルを持つ飽和画素を検出するステップと、
前記相関データの統計結果に基づいてデフォーカス量を算出するステップと、を有し、 
前記相関データの統計結果は、前記検出手段によって検出された前記飽和画素以外の画素データから得られる相関データに基づいて算出されることを特徴とする焦点検出方法。
【請求項３０】
異なる視差を有する第１の画素あるいは第２の画素を有する撮像素子から得られる複数の画像データを用いて位相差方式の焦点検出を行う焦点検出方法であって、
複数の前記第１の画素から得られる画素データと複数の前記第２の画素から得られる画像データの複数の範囲における画素データとの相関データを算出するステップと、
前記複数の範囲のそれぞれにおいて、所定値以上のレベルを持つ飽和画素を検出するステップと、
前記相関データの統計結果に基づいてデフォーカス量を算出するステップと、を有し、 
前記相関データの統計結果は、前記複数の範囲のそれぞれにおける前記飽和画素数に基づく重みを掛けた前記複数の範囲の前記相関データに基づいて算出されることを特徴とする焦点検出方法。
【請求項３１】
前記重みは、前記範囲の全ての画素が前記飽和画素である場合にゼロであることを特徴とする請求項３０に記載の焦点検出方法。
【請求項３２】
異なる視差を有する第１の画素あるいは第２の画素を有する撮像素子から得られる複数の画像データを用いて焦点検出を行う焦点検出方法であって、
前記撮像素子から得られる画像データの複数の範囲において、複数の前記第１の画素から得られる画素データと複数の前記第２の画素から得られる画素データとの比較データを算出するステップと、
前記複数の範囲のそれぞれにおいて、所定値以上のレベルを持つ飽和画素を検出するステップと、
前記飽和画素の検出結果に基づいて、前記複数の範囲のそれぞれにおいて算出された前記比較データの加算処理を行うステップと、
加算された前記比較データに基づいてレンズ装置の駆動制御を行うステップと、を有し、
前記加算処理は、前記飽和画素が所定数未満である前記複数の範囲から得られる比較データを用いて行われることを特徴とする焦点検出方法。
【請求項３３】
前記焦点検出は位相差方式によって行われ、
前記レンズ装置を駆動制御するステップにおいて、デフォーカス量は、前記加算処理の結果に基づいて算出され、該デフォーカス量に基づいて前記駆動制御は行なわれることを特徴とする請求項３２に記載の焦点検出方法。
【請求項３４】
前記画像データの範囲は、前記撮像素子から得られる画像データのラインに対応することを特徴とする請求項３２または３３に記載の焦点検出方法。
【請求項３５】
前記所定数とは、１であることを特徴とする請求項３２乃至３４のいずれか１項に記載の焦点検出方法。
【請求項３６】
異なる視差を有する第１の画素あるいは第２の画素を有する撮像素子から得られる複数の画像データを用いて焦点検出を行う焦点検出方法であって、
複数の前記第１の画素から得られる画素データと複数の前記第２の画素から得られる画素データとの比較データを算出するステップと、
前記撮像素子における複数の範囲のそれぞれにおいて、所定値以上のレベルを持つ飽和画素を検出するステップと、
前記比較データの統計に基づいてレンズ装置の駆動制御を行うステップと、を有し、
前記比較データの統計は、前記検出するステップによって検出された前記飽和画素以外の画素データから得られる比較データに基づいて算出されることを特徴とする焦点検出方法。
【請求項３７】
前記範囲は、前記撮像素子におけるラインに対応することを特徴とする請求項３６に記載の焦点検出方法。
【請求項３８】
異なる視差を有する第１の画素あるいは第２の画素を有する撮像素子から得られる複数の画像データを用いて焦点検出を行う焦点検出方法であって、
複数の前記第１の画素から得られる画素データと複数の前記第２の画素から得られる画像データの複数の範囲における画素データとの比較データを算出するステップと、
前記複数の範囲のそれぞれにおいて、所定値以上のレベルを持つ飽和画素を検出するステップと、
前記比較データの統計に基づいてレンズ装置の駆動制御を行うステップと、を有し、
前記比較データの統計は、前記複数の範囲のそれぞれにおける前記飽和画素数に基づく重みを掛けた前記複数の範囲の前記相関データに基づいて算出されることを特徴とする焦点検出方法。
【請求項３９】
前記重みは、前記範囲の全ての画素が前記飽和画素である場合にゼロであることを特徴とする請求項３８に記載の焦点検出方法。
【請求項４０】
前記画像データの範囲は、前記複数の第２の画素から得られる画像データのラインに対応することを特徴とする請求項３８または３９に記載の焦点検出方法。
【請求項４１】
前記焦点検出は位相差方式によって行われ、
前記レンズ装置を駆動制御するステップにおいて、デフォーカス量は、前記比較データの統計に基づいて算出され、前記駆動制御は、該デフォーカス量に基づいて行なわれることを特徴とする請求項３６乃至４０のいずれか１項に記載の焦点検出方法。
【請求項４２】
異なる視差を有する前記複数の画像データは、１つのマイクロレンズを共有する第１の画素および第２の画素を備えた撮像素子から得られることを特徴とする請求項２７乃至４１のいずれか１項に記載の焦点検出方法。
【請求項４３】
請求項２７乃至４２のいずれか１項に記載の焦点検出方法の手順が記述されたコンピュータで実行可能なプログラム。
【請求項４４】
コンピュータに、請求項２７乃至４２のいずれか１項に記載の焦点検出方法の各工程を実行させるためのプログラムが記憶されたコンピュータが読み取り可能な記憶媒体。
【手続補正２】
【補正対象書類名】明細書
【補正対象項目名】０００９
【補正方法】変更
【補正の内容】
【０００９】
本発明の一側面としての焦点検出装置は、異なる視差を有する第１の画素あるいは第２の画素を有する撮像素子から得られる複数の画像データを用いて位相差方式の焦点検出を行う焦点検出装置であって、前記撮像素子から得られる画像データの複数の範囲において、複数の前記第１の画素から得られる画素データと複数の前記第２の画素から得られる画素データとの相関データを算出する相関データ算出手段と、前記複数の範囲のそれぞれにおいて、所定値以上のレベルを持つ飽和画素を検出する検出手段と、前記検出手段による飽和画素の検出結果に基づいて、前記複数の範囲のそれぞれにおいて算出された前記相関データの加算処理を行う加算手段と、前記加算処理の結果に基づいてデフォーカス量を算出するデフォーカス量算出手段と、を有し、前記加算手段は、前記飽和画素が所定数未満である前記複数の範囲から得られる相関データを用いて前記加算処理を行う。
【手続補正３】
【補正対象書類名】明細書
【補正対象項目名】００１２
【補正方法】変更
【補正の内容】
【００１２】
本発明の他の側面としての焦点検出方法は、異なる視差を有する第１の画素あるいは第２の画素を有する撮像素子から得られる複数の画像データを用いて位相差方式の焦点検出を行う焦点検出方法であって、前記撮像素子から得られる画像データの複数の範囲において、複数の前記第１の画素から得られる画素データと複数の前記第２の画素から得られる画素データとの相関データを算出するステップと、前記複数の範囲のそれぞれにおいて、所定値以上のレベルを持つ飽和画素を検出するステップと、前記飽和画素の検出結果に基づいて、前記複数の範囲のそれぞれにおいて算出された前記相関データの加算処理を行うステップと、前記加算処理の結果に基づいてデフォーカス量を算出するステップと、を有し、前記加算処理ステップは、前記飽和画素が所定数未満である前記複数の範囲から得られる相関データを用いて行われる。